(57)【要約】【課題】点字による表示を好適に行なうことができる表示機能付きＩＣカードを提供する。【解決手段】表示機能付きＩＣカード１を、表示制御用マイコン１７、点字ピン１３により点字を表示する表示部７、点字ピン１３を表示部７の表面に対して出し入れする駆動部１９等で構成する。駆動部１９は、通電により平たくなる板状の形状記憶合金１９ａと、通電により湾曲する板状の形状記憶合金１９ｂとからなる。表示制御用マイコン１７は、形状記憶合金１９ａ、１９ｂへの通電状態を制御する。駆動部１９は、通電による形状記憶合金１９ａ、１９ｂの変形により、点字ピン１３を表示部７の表面３３から埋没した状態または表示部７の表面３３から突出した状態とし、表示部７に点字を表示させる。【選択図】図３
2013073465.tif 000002
【特許請求の範囲】
【請求項１】
制御部と、
点字ピンにより点字を表示する表示部と、
前記制御部の制御により、前記点字ピンを前記表示部の表面から突出または埋没させる駆動部と、
を具備し、
前記駆動部は、板状の一対の形状記憶合金からなり、
前記形状記憶合金として、通電により平たくなる第１の形状記憶合金、および／または、通電により湾曲する第２の形状記憶合金を用い、
前記制御部により一対の前記形状記憶合金への通電状態をそれぞれ制御することで、前記点字ピンを前記表示部の表面から突出または埋没させて点字を表示することを特徴とする表示機能付きＩＣカード。
【請求項２】
前記形状記憶合金として、通電により平たくなる第１の形状記憶合金、および、通電により湾曲する第２の形状記憶合金を用い、
前記制御部は、
前記第２の形状記憶合金のみに通電して、前記第２の形状記憶合金を前記表示部の表面側に凸となるように湾曲させることにより、前記点字ピンを前記表示部の表面から突出した状態とし、
前記第１の形状記憶合金のみに通電して、前記第１の形状記憶合金を平たくすることにより、前記点字ピンを前記表示部の表面から埋没した状態とすることを特徴とする請求項１に記載の表示機能付きＩＣカード。
【請求項３】
前記点字ピンと、一対の前記形状記憶合金との間が断熱されることを特徴とする請求項１または請求項２記載の表示機能付きＩＣカード。
【請求項４】
一対の前記形状記憶合金の間が断熱されることを特徴とする請求項１から請求項３のいずれかに記載の表示機能付きＩＣカード。
【請求項５】
前記表示部の表面にゴムが設置されることを特徴とする請求項１から請求項４のいずれかに記載の表示機能付きＩＣカード。
【発明の詳細な説明】
【技術分野】
【０００１】
本発明は、表示機能付きＩＣカードに関する。より詳しくは、点字による表示を行なう表示機能付きＩＣカードに関する。
【背景技術】
【０００２】
近年、カード本体に表示機能を有するＩＣカードが開発されている（例えば、特許文献１参照）。例えば電子マネーを記憶するＩＣカードの場合、ＩＣカードに記憶している電子マネーの残高金額等をディスプレイに表示させることが可能となる。
【０００３】
しかし、従来のＩＣカードを視力の弱い人が利用する際、カードのディスプレイで表示内容を確認することが困難である。そこで、ＩＣカードにおいて点字による表示を行うことが考えられる。これにより、視力の弱い人であってもＩＣカードを好適に利用することができる。
【０００４】
点字による表示については、点字ピンをコイル状や棒状の形状記憶合金の変形によって開口部から出没させるように構成した点字表示装置が提案されている（例えば、特許文献２から特許文献４参照）。
【先行技術文献】
【特許文献】
【０００５】
【特許文献１】特開２００９−０８６０６７号公報
【特許文献２】特許公報第２８５０７８９号
【特許文献３】特許公報第３６２４７８５号
【特許文献４】特許公報第３６２４７１２号
【発明の概要】
【発明が解決しようとする課題】
【０００６】
しかしながら、このような点字表示装置は、構造が複雑で、厚みのある形状であるため、ＩＣカード等の薄い媒体に適用することが難しかった。
【０００７】
本発明は、前述した問題点に鑑みてなされたもので、その目的は、点字による表示を好適に行なうことができる表示機能付きＩＣカードを提供することである。
【課題を解決するための手段】
【０００８】
前述した目的を達成するための本発明は、制御部と、点字ピンにより点字を表示する表示部と、前記制御部の制御により、前記点字ピンを前記表示部の表面から突出または埋没させる駆動部と、を具備し、前記駆動部は、板状の一対の形状記憶合金からなり、前記形状記憶合金として、通電により平たくなる第１の形状記憶合金、および／または、通電により湾曲する第２の形状記憶合金を用い、前記制御部により一対の前記形状記憶合金への通電状態をそれぞれ制御することで、前記点字ピンを前記表示部の表面から突出または埋没させて点字を表示することを特徴とする表示機能付きＩＣカードである。
【０００９】
本発明によれば、板状の一対の形状記憶合金からなる駆動部を用い、形状記憶合金に通電してジュール熱によりこれを変形させることで、点字ピンを駆動させる。形状記憶合金としては、通電により平たくなるものや通電により湾曲するものを用い、制御部による通電状態の制御により点字ピンを上下させる。
これにより、少ない部品数で厚みのない構造の駆動部を薄型のＩＣカードに組み込んで、カード表面に対して点字ピンを出し入れし、点字による表示を好適に行なうことができる。
【００１０】
また、前記形状記憶合金として、通電により平たくなる第１の形状記憶合金、および、通電により湾曲する第２の形状記憶合金を用い、前記制御部は、前記第２の形状記憶合金のみに通電して、前記第２の形状記憶合金を前記表示部の表面側に凸となるように湾曲させることにより、前記点字ピンを前記表示部の表面から突出した状態とし、前記第１の形状記憶合金のみに通電して、前記第１の形状記憶合金を平たくすることにより、前記点字ピンを前記表示部の表面から埋没した状態とすることが望ましい。
これにより、通電により平たくなる第１の形状記憶合金、および、通電により湾曲する第２の形状記憶合金からなる一対の形状記憶合金を駆動部として用い点字ピンの出し入れを好適に行うことができる。また、点字ピンの埋没時には、第１の形状記憶合金を通電させ平たく変形させるとともに、通電されない第２の形状記憶合金もこれに追従して平たく変形させることにより、カードの非使用時に両者が平らな状態を維持することができる。これは、カードの非使用時に形状記憶合金が湾曲した状態である場合に比べ耐久性の面で有利である。
【００１１】
また、前記点字ピンと、一対の前記形状記憶合金との間が断熱されることが望ましい。
これにより、形状記憶合金への通電時、点字ピンが加熱されることがなくなり、点字ピンに触れて表示内容を認識するような本発明の表示機能付きＩＣカードの使用を好適に行うことができる。
【００１２】
また、一対の前記形状記憶合金の間が断熱されることが望ましい。
これにより、一方の形状記憶合金に通電させた際に、通電によるジュール熱が他方の形状記憶合金に伝わることによる誤作動を防ぐことができる。
【００１３】
また、前記表示部の表面にゴムが設置されることが望ましい。
表示部では、点字ピンを出し入れするための開口がカード本体に多く形成されるため構造的にはやや弱くなるが、表示部の表面をゴムとすることにより、表示部の表面が割れるなどの破損を防ぐことができる。また、上記の開口を塞いで水やごみの侵入を防ぐこともできる。
【発明の効果】
【００１４】
本発明によれば、点字による表示を好適に行なうことができる表示機能付きＩＣカードを提供することができる。
【図面の簡単な説明】
【００１５】
【図１】表示機能付きＩＣカード１の外観図
【図２】表示機能付きＩＣカード１の内部構成を示すブロック図
【図３】点字ピン１３が埋没した状態を示す図
【図４】形状記憶合金１９ａ、１９ｂの変形について示す図
【図５】点字ピン１３が突出した状態を示す図
【図６】駆動部４０について示す図
【図７】駆動部５０について示す図
【図８】駆動部６０について示す図
【発明を実施するための形態】
【００１６】
以下、図面に基づいて、本発明の実施形態について詳細に説明する。
【００１７】
［第１の実施形態］
図１は、本発明の第１の実施形態に係る表示機能付きＩＣカード１の外観図である。
【００１８】
表示機能付きＩＣカード１は、非接触式の通信を行うことによりＩＣチップに電子マネー残額等のデータを記録し、表示制御用マイコンの制御により当該データの点字による表示を行うものであり、カード本体３の表面３３に表示部７およびスイッチ５を有する。
【００１９】
表示部７では、点字ピン１３により点字による表示を行う。カード本体３の表面３３には、表示部７の位置にシリコンゴム９が設置される。点字ピン１３は、シリコンゴム９の下方に設けられ、表示部７の表面３３から突出または埋没される。表示部７では、例えば６つの点字ピン１３の出し入れの状態により、１つの点字を表現する。
スイッチ５は、例えば、機械接点式のプッシュスイッチである。
【００２０】
図２は、表示機能付きＩＣカード１の内部構成を示すブロック図である。図２に示すように、表示機能付きＩＣカード１は、表示制御用マイコン１７（制御部）、非接触ＩＣチップ２１、スイッチ５、電源１５、駆動部１９、点字ピン１３等により構成される。
【００２１】
表示制御用マイコン１７は、ＣＰＵ（Ｃｅｎｔｒａｌ  Ｐｒｏｃｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）等のメモリ、外部入出力端子等を備えたＩＣチップであり、外部入出力端子を介して電源１５、非接触ＩＣチップ２１、スイッチ５、駆動部１９が接続される。
【００２２】
駆動部１９は、点字ピン１３に接続され、表示制御用マイコン１７による制御に従い、点字ピン１３を駆動する。
点字ピン１３は、表示制御用マイコン１７による制御に従い駆動部１９により駆動され、表示部７の表面３３に対する出し入れが行われる。
【００２３】
電源１５は、表示制御用マイコン１７に電力を供給する電池であり、一次電池、二次電池等、その種類は問わない。
スイッチ５は、前記のように、例えばプッシュスイッチであり、触れて押下している場合にオン状態となり、電源１５から表示制御用マイコン１７へ電力が供給される。
【００２４】
非接触ＩＣチップ２１は、ＣＰＵ、ＲＯＭ、ＲＡＭ、ＥＥＰＲＯＭ等を備える。非接触ＩＣチップ２１は、外部のカードリーダライタとの間で非接触式の通信を行い、ＲＯＭに格納されたプログラムに従ってデータ処理を実行する。例えば、電子マネー残額等のデータをカードリーダライタから受信し、ＥＥＰＲＯＭに保存する。
【００２５】
表示機能付きＩＣカード１では、スイッチ５がオン状態とされると、電源１５から供給される電力により表示制御用マイコン１７が起動する。表示制御用マイコン１７は、非接触ＩＣチップ２１に記憶された電子マネー残額のデータを取得し、該データに従って駆動部１９を制御する。駆動部１９は、表示制御用マイコン１７の制御に従って点字ピン１３を出し入れし、表示部７に該データの値を点字として表示する。点字による表示の終了後、表示制御用マイコン１７はシャットダウンする。
【００２６】
次に、点字ピン１３および駆動部１９について、図３を用いて説明する。図３（ａ）は、カード本体３の点字ピン１３付近の断面構成の概略図であり、点字ピン１３が表示部７の表面３３から埋没した状態を示す。また、図３（ｂ）は、点字ピン１３および駆動部１９を上方から見た図である。
【００２７】
図３（ａ）に示すように、点字ピン１３は、表面３３側が半球状で、下面２７が平坦な部材である。下面２７には断熱材２３が固定される。さらに、断熱材２３の下面２９に断熱シート２５が固定される。断熱材２３や断熱シート２５の素材は特に限定されるものではなく、断熱効果を有するものであれば適宜使用可能である。
【００２８】
点字ピン１３の下方には、板状の形状記憶合金１９ａ（第１の形状記憶合金）による板ばねと、板状の形状記憶合金１９ｂ（第２の形状記憶合金）による板ばねの、形状記憶合金による一対の板ばねからなる駆動部１９が、後述する変形が可能な状態で設置される。形状記憶合金１９ａは、断熱材２３を貫通するように設けられる。形状記憶合金１９ｂは、断熱シート２５の下面３１に設けられる。図３（ｂ）に示すように、形状記憶合金１９ａと形状記憶合金１９ｂは、平面上点字ピン１３に対応する位置で直交するように、平らな状態で配置される。これらの形状記憶合金１９ａ、１９ｂの両端には、通電を行うための導線（不図示）を接続する。この導線には、金メッキを行いさびを防ぐようにしておく。
【００２９】
形状記憶合金１９ａより上部の断熱材２３により、形状記憶合金１９ａ（および形状記憶合金１９ｂ）と点字ピン１３との間が断熱され、形状記憶合金１９ａより下部の断熱材２３および断熱シート２５により、形状記憶合金１９ａと形状記憶合金１９ｂとの間が断熱される。
【００３０】
表示機能付きＩＣカード１で点字による表示を行う際、表示制御用マイコン１７は、表示するデータにしたがって、各点字ピン１３の駆動部１９の形状記憶合金１９ａ、１９ｂへの通電を制御する。これにより、形状記憶合金１９ａ、１９ｂを変形させて点字ピン１３を出し入れする。
【００３１】
図４は、形状記憶合金１９ａ、１９ｂの変形を示す図である。図４において、右側の図は、通電時における形状記憶合金１９ａ、１９ｂの形状を示す。
【００３２】
図に示すように、形状記憶合金１９ａは、非通電時には自由に変形するが、通電によるジュール熱で元の形状に戻り、湾曲していた場合、平らな状態になる。一方、形状記憶合金１９ｂも、非通電時には自由に変形するが、通電によるジュール熱で元の形状に戻り、平らであった場合、湾曲した状態になる。湾曲した際の高さは、例えば１〜２ｍｍ程度である。
なお、形状記憶合金１９ａ、１９ｂとしては、通電による４０〜５０度程度の熱で元の形状に戻るものを用い、通常の気温下では元の形状に戻らないようにしておく。
【００３３】
点字による表示を行うため、図３（ａ）に示す埋没した状態の点字ピン１３を、表面３３から突出した状態とする場合、表示制御用マイコン１７は、形状記憶合金１９ｂのみに通電するように制御する。
これにより、形状記憶合金１９ｂは上側（表面３３側）が凸となるように湾曲する。通電されない形状記憶合金１９ａは自由な変形が可能であり、形状記憶合金１９ｂの変形に追従して、上側が凸となるように湾曲する。これにより、図３（ａ）に示す状態の点字ピン１３は、矢印Ａに示すように上昇し、シリコンゴム９の下方に設けられたカード本体３の開口３５を介して表面３３から突出する。
【００３４】
図５（ａ）、図５（ｂ）は、点字ピン１３が表面３３から突出した状態の、点字ピン１３付近の断面構成の概略図である。図５（ｂ）は、図５（ａ）の矢印Ｃに示す方向から見た図である。形状記憶合金１９ｂのみの通電により、点字ピン１３は、図５（ａ）および図５（ｂ）に示すように、表面３３から突出した状態となる。表面３３に設けられたシリコンゴム９も、点字ピン１３の上部形状に沿って突出する。
【００３５】
点字の表示を終了する際には、表示制御用マイコン１７は、全ての点字ピン１３が表面３３から埋没した状態となるように、各点字ピン１３の駆動部１９を制御する。
【００３６】
点字ピン１３を、図３（ａ）に示すように表面３３から埋没した状態とする場合、表示制御用マイコン１７は、図５（ａ）および図５（ｂ）に示す状態において、形状記憶合金１９ａのみに通電するように制御する。
これにより、形状記憶合金１９ａは平たくなる。通電されない形状記憶合金１９ｂは自由な変形が可能であり、形状記憶合金１９ａの変形に追従して平たくなる。これにより、図５（ａ）および図５（ｂ）に示す状態の点字ピン１３は、矢印Ｂに示すように下降し、図３（ａ）に示すように、表面３３から埋没した状態となる。
【００３７】
その後、表示制御用マイコン１７はシャットダウンする。シャットダウン後は、形状記憶合金１９ａ、１９ｂへの通電は行なわれず、全ての点字ピン１３が埋没した状態が維持される。
【００３８】
このように、本実施形態の表示機能付きＩＣカード１では、通電により平たくなる板状の形状記憶合金１９ａと、通電により湾曲する板状の形状記憶合金１９ｂとからなる駆動部１９を用い、表示制御用マイコン１７による通電の制御によりこれらを変形させ点字ピン１３を駆動する。これにより、ＩＣカードのような薄い媒体に少ない部品数で厚みのない構造の駆動部１９を組み込み、カード表面に対して点字ピン１３を出し入れし、点字による表示を好適に行なうことができる。
【００３９】
また、本実施形態では、点字ピン１３と形状記憶合金１９ａおよび形状記憶合金１９ｂとの間が、断熱材２３により断熱される。これにより、形状記憶合金１９ａ等への通電時に発生するジュール熱により点字ピン１３が加熱されることがなくなり、点字ピン１３に触れて表示内容を認識するような表示機能付きＩＣカード１の使用を好適に行うことができる。
また、形状記憶合金１９ａと形状記憶合金１９ｂとの間も、断熱材２３や断熱シート２５により断熱される。これにより、形状記憶合金１９ａあるいは形状記憶合金１９ｂへの通電時に発生するジュール熱が、他方の形状記憶合金に伝達されることによる誤作動も防ぐことができる。
【００４０】
さらに、本実施形態では、表示部７の表面３３に、シリコンゴム９が設置される。表示部７では、点字ピン１３を出し入れするための開口３５がカード本体３に多く形成されるため構造的にはやや弱くなるが、表示部７の表面３３をシリコンゴム９とすることにより、表示部７の表面３３が割れるなどの破損を防ぐことができる。また、開口３５を塞いで水やごみの侵入を防ぐこともできる。なお、シリコンゴム９に代えてその他のゴムを用いることも可能である。
【００４１】
さらに、本実施形態では、形状記憶合金１９ａを上に、形状記憶合金１９ｂを下に配置しているが、この配置は逆とすることもできる。また、これらの形状記憶合金１９ａ、１９ｂは平面上直交するように配置しているが、平面上斜交するように配置してもよい。この他、駆動部１９の構成は、板ばねとして一対の形状記憶合金を用いるものであれば図３等に示すものに限らない。以下、駆動部１９の構成が異なる第２〜第４の実施形態について説明する。
【００４２】
［第２の実施形態］
図６は、第２の実施形態に係る表示機能付きＩＣカード１ａの駆動部４０について示す図である。駆動部４０以外の構成は第１の表示機能付きＩＣカード１と同様であるので、説明を省略する。
【００４３】
図６（ａ）に示すように、第２の実施形態の表示機能付きＩＣカード１ａの駆動部４０では、点字ピン１３が表面３３から埋没した状態において、形状記憶合金１９ａ、１９ｂが下に凸となるように湾曲した状態である。形状記憶合金１９ａは、断熱材２３を貫通するように設けられ、形状記憶合金１９ｂは、断熱シート２５の下面に設けられる。
【００４４】
この点字ピン１３を表面３３から突出させる際、表示制御用マイコン１７は、形状記憶合金１９ａのみに通電する。すると、図６（ｂ）に示すように、形状記憶合金１９ａは平たくなる。通電されない形状記憶合金１９ｂは、形状記憶合金１９ａの変形に追従して平たくなる。これにより、点字ピン１３が上昇し表面３３から突出する。
【００４５】
一方、この点字ピン１３を表面３３から埋没させる際は、形状記憶合金１９ｂのみに通電することにより、形状記憶合金１９ｂを下に凸となるように湾曲させる。通電されない形状記憶合金１９ａは、形状記憶合金１９ｂの変形に追従して下に凸となるように湾曲する。これにより、図６（ａ）に示すように点字ピン１３が下降し表面３３から埋没した状態となる。
【００４６】
［第３の実施形態］
図７は、第３の実施形態に係る表示機能付きＩＣカード１ｂの駆動部５０について示す図である。駆動部５０以外の構成は第１の表示機能付きＩＣカード１と同様であるので、説明を省略する。
【００４７】
第３の実施形態の駆動部５０では、２枚の形状記憶合金１９ａを用いて駆動部５０を構成する。
すなわち、駆動部５０では、図７（ａ）に示すように、点字ピン１３が表面３３から埋没した状態において、上方の形状記憶合金１９ａは、下に凸となるように湾曲した状態で断熱材２３を貫通するように設けられ、下方の形状記憶合金１９ａは平らな状態で断熱シート２５の下面に設けられる。
【００４８】
この点字ピン１３を表面３３から突出させる際、表示制御用マイコン１７は、上方の形状記憶合金１９ａのみに通電する。すると、この形状記憶合金１９ａは平たくなる。通電されない下方の形状記憶合金１９ａは、上方の形状記憶合金１９ａの変形に追従して、上に凸となるように湾曲する。これにより、図７（ｂ）に示すように、点字ピン１３が上昇し表面３３から突出する。
【００４９】
一方、この点字ピン１３を表面３３から埋没させる際は、下方の形状記憶合金１９ａのみに通電する。すると、下方の形状記憶合金１９ａが平たくなる。通電されない上方の形状記憶合金１９ａは、下方の形状記憶合金１９ａの変形に追従して下に凸となるように湾曲する。これにより点字ピン１３が下降し、図７（ａ）に示すように表面３３から埋没した状態となる。
【００５０】
［第４の実施形態］
図８は、第４の実施形態に係る表示機能付きＩＣカード１ｃの駆動部６０について示す図である。駆動部６０以外の構成は第１の表示機能付きＩＣカード１と同様であるので、説明を省略する。
【００５１】
第４の実施形態の駆動部６０では、２枚の形状記憶合金１９ｂを用いて駆動部６０を構成する。
すなわち、駆動部６０では、図８（ａ）に示すように、点字ピン１３が表面３３から埋没した状態において、上方の形状記憶合金１９ｂは、下に凸となるように湾曲した状態で断熱材２３を貫通するように設けられ、下方の形状記憶合金１９ｂは平らな状態で断熱シート２５の下面に設けられる。
【００５２】
この点字ピン１３を表面３３から突出させる際、表示制御用マイコン１７は、下方の形状記憶合金１９ｂのみに通電することにより、この形状記憶合金１９ｂを上に凸となるように湾曲させる。通電されない上方の形状記憶合金１９ｂは、下方の形状記憶合金１９ｂの変形に追従して平たくなる。これにより、図８（ｂ）に示すように、点字ピン１３が上昇し表面３３から突出する。
【００５３】
一方、この点字ピン１３を表面３３から埋没させる際は、上方の形状記憶合金１９ｂのみに通電することにより、この形状記憶合金１９ｂを下に凸となるように湾曲させる。通電されない下方の形状記憶合金１９ｂは、上方の形状記憶合金１９ｂの変形に追従して平たくなる。これにより点字ピン１３が下降し、図８（ａ）に示すように表面３３から埋没した状態となる。
【００５４】
以上説明した第２〜第４の実施形態の駆動部４０、５０、６０を用いた場合であっても、第１の実施形態と同様の効果が得られる。第３、第４の実施形態では、同種の形状記憶合金を用いるので材料にかかるコストも低減される。ただし、これらの実施形態では非使用時でいずれかの形状記憶合金が湾曲してカード内に配置されることになるので、耐久性の観点からは、非使用時で両形状記憶合金が平らな状態となる第１の実施形態のほうが有利である。
【００５５】
また、以上の説明では、表示機能付きＩＣカードの例として非接触ＩＣチップ２１のデータを表示部７に表示する処理を行うものを挙げたが、表示機能付きＩＣカードの例としてはこれに限らず、スイッチの押下後、制御部がプログラムを実行してワンタイムパスワードを生成し、これを表示部に表示する処理を行うワンタイムパスワード生成器などもある。この場合も、前記と同様の構成（ただし非接触ＩＣチップ２１は省略される）により、生成したワンタイムパスワードを点字により表示することが可能である。
加えて、表示部７に表示する内容は、電子マネー残額やワンタイムパスワードに限らない。点字により表示可能なものであれば、数字や文字、記号その他の種々の表示が可能である。
【００５６】
以上、添付図を参照しながら、本発明の実施形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５７】
１、１ａ、１ｂ、１ｃ………表示機能付きＩＣカード
３………カード本体
５………スイッチ
７………表示部
９………シリコンゴム
１３………点字ピン
１７………表示制御用マイコン
１９、４０、５０、６０………駆動部
１９ａ、１９ｂ………形状記憶合金
２１………非接触ＩＣチップ
２３………断熱材
２５………断熱シート
【図１】
2013073465.tif 000003
【図２】
2013073465.tif 000004
【図３】
2013073465.tif 000005
【図４】
2013073465.tif 000006
【図５】
2013073465.tif 000007
【図６】
2013073465.tif 000008
【図７】
2013073465.tif 000009
【図８】
2013073465.tif 000010